(57)【要約】【課題】エレベータが設置された建物内で電気的徐細動が必要な患者が発生した場合に、より迅速に電気的徐細動を行うことを可能にするエレベータの救命支援装置を提供する。【解決手段】自動体外式徐細動器１０をかご１に設置するとともに、乗場ＡＥＤボタン２５を各階の乗場に、住居内ＡＥＤボタン２８をエレベータの設置された建物の各住居内にそれぞれ設け、乗場ＡＥＤボタン２５または住居内ＡＥＤボタン２８が操作されて主制御装置１８に対して救命呼び信号を出力したときに、その救命呼び信号を発した乗場ＡＥＤボタン２５または住居内ＡＥＤボタン２８の設置階にかご１を直行運転する。【選択図】図２
2008265898.tif 000002
【特許請求の範囲】
【請求項１】
電気的徐細動が必要な患者に対する救命処置を支援するエレベータの救命支援装置であって、
自動体外式徐細動器をかごに設置するとともに、制御装置に対して救命呼び信号を出力する救命呼びスイッチを所定階に設け、
制御装置が救命呼び信号を受信したことを条件に、上記所定階にかごを直行運転するようになっていることを特徴とするエレベータの救命支援装置。
【請求項２】
制御装置が救命呼び信号を受信したことを条件に、予め登録された乗場呼びおよびかご呼びよりも優先して上記所定階にかごを直行運転するようになっていることを特徴とする請求項１に記載のエレベータの救命支援装置。
【請求項３】
エレベータがサービスする各階にそれぞれ救命呼びスイッチを設け、制御装置が救命呼び信号を受信したときに、その救命呼び信号を発した救命呼びスイッチの設置階にかごを直行運転するようになっていることを特徴とする請求項１または２に記載のエレベータの救命支援装置。
【請求項４】
制御装置が救命呼び信号を受信した際に、通信回線を通じて制御装置と接続可能な監視センタに通報を行うようになっていることを特徴とする請求項１〜３のいずれかに記載のエレベータの救命支援装置。
【請求項５】
制御装置が救命呼び信号を受信してかごを上記所定階に直行運転中であることを視覚または聴覚を通じて周囲に伝える情報伝達手段を有していることを特徴とする請求項１〜４のいずれかに記載のエレベータの救命支援装置。
【請求項６】
情報伝達手段は、制御装置が救命呼び信号を受信してかごを上記所定階に直行運転中であることをかご内および乗場の乗客に伝えるようになっていることを特徴とする請求項５に記載のエレベータの救命支援装置。
【発明の詳細な説明】
【技術分野】
【０００１】
本発明は電気的徐細動が必要な患者に対する救命処置を支援するようにしたエレベータの救命支援装置に関し、特に、例えば心室細動または無脈性心室頻拍等を発症した患者に対し、その現場に居合わせた者が自動対外式徐細動器を用いた電気的徐細動を速やかに行えるように支援するエレベータの救命支援装置に関する。
【背景技術】
【０００２】
心臓は、刺激の伝達と心臓の収縮が秩序をもって規則的に起こることで、全身へ血液を流すという機能を果たしており、例えば心室細動または無脈性心室頻拍等の致死的不整脈を発症すると全身の血液の流れが止まり、生命に関わることとなる。
【０００３】
電気的徐細動は、心室細動や無脈性心室頻拍といった生命に関わる致死的不整脈を発症した患者の心臓に対して一過性の高エネルギーの電流を流し、この電気ショックによって正常な刺激の発生と心臓の動きを取り戻す治療法であり、その治療法に用いる徐細動器が例えば特許文献１に記載されている。
【０００４】
電気的徐細動によって救命が成功する可能性は、発症から電気的徐細動が行われるまでの時間によってほぼ規定され、より迅速に電気的徐細動が行われた場合ほど救命率が良好となる。
【０００５】
すなわち、致死的不整脈を発症した患者に対し、その発症から救急隊員の到着までの間に現場に居合わせた非医療従事者が電気的徐細動を速やかに行うことが有効であり、その非医療従事者にも使用可能な自動対外式徐細動器（一般にＡＥＤと称されている。）の設置が様々な場所で進められている。
【特許文献１】特表２００４−５３４６２２号公報
【発明の開示】
【発明が解決しようとする課題】
【０００６】
しかしながら、自動対外式徐細動器が設置された建物内で電気的徐細動が必要な患者が発生した場合に、その場に居合わせた者は自動対外式徐細動器の設置場所まで当該自動対外式徐細動器を取りに行き、その上で自動対外式徐細動器を患者のもとへ運ばなければならず、特に高層の建物においてはその移動に時間がかかり、発症から電気的徐細動を行うまでに比較的長い時間がかかっていた。
【０００７】
また、建物内に多数の自動対外式徐細動器を設置することで、患者の発症から電気的徐細動を行うまでの時間を短縮することも可能であるが、コストの面で不利となり、現実的ではない。
【０００８】
本発明は上記の課題に鑑みてなされたものであり、特にエレベータが設置された建物内で電気的徐細動が必要な患者が発生した場合に、エレベータのかごが自動対外式徐細動器を患者のいる階床またはその階床に近接する階床へ運搬することで、コストの増加を抑えつつもより迅速に電気的徐細動を行うことを可能とするエレベータの救命支援装置を提供することを目的としている。
【課題を解決するための手段】
【０００９】
請求項１に記載の発明は、電気的徐細動が必要な患者に対する救命処置を支援するエレベータの救命支援装置であって、自動体外式徐細動器をかごに設置するとともに、制御装置に対して救命呼び信号を出力する救命呼びスイッチを所定階に設け、制御装置が救命呼び信号を受信したことを条件に、上記所定階にかごを直行運転するようになっていることを特徴としている。
【００１０】
この請求項１に記載の発明では、エレベータが設置された建物内で電気的徐細動が必要な患者が発生した場合に、その場に居合わせた者が救命呼びスイッチを操作することで、その救急呼びスイッチが設置された所定階にエレベータのかごが直行し、もって自動対外式徐細動器を患者のいる階床またはその階床に近接する階床へ搬送することとなる。
【００１１】
具体的には請求項２に記載の発明のように、制御装置が救命呼び信号を受信したことを条件に、予め登録された乗場呼びおよびかご呼びよりも優先して上記所定階にかごを直行運転するようになっているものとする。
【００１２】
望ましくは請求項３に記載の発明のように、エレベータがサービスする各階にそれぞれ救命呼びスイッチを設け、制御装置が救命呼び信号を受信したときに、その救命呼び信号を発した救命呼びスイッチの設置階にかごを直行運転するようになっていると、自動対外式徐細動器をエレベータのサービスする各階に搬送することができるようになり、自動対外式徐細動器をより患者に近接した場所へ搬送することができる。
【００１３】
また、請求項４に記載の発明のように、制御装置が救命呼び信号を受信した際に、通信回線を通じて制御装置と接続可能な監視センタに通報を行うようになっていると、エレベータの設置された建物内で電気的な徐細動が必要な患者が発生したことを監視センタで把握することで、その監視センタ内の監視員が必要な措置を講ずることができるようになる。
【００１４】
さらに、請求項５に記載の発明のように、制御装置が救命呼び信号を受信してかごを上記所定階に直行運転中であることを視覚または聴覚を通じて周囲に伝える情報伝達手段を有していると、エレベータの設置された建物内で電気的徐細動が必要な患者が発生したことを周囲に伝えることで、その救命処置の助けを呼ぶことができるほか、エレベータが上記所定階に直行運転中であることをエレベータの一般の利用客に伝え、その利用客の困惑を防ぐことができる。
【００１５】
この場合、具体的には請求項６に記載の発明のように、情報伝達手段は、制御装置が救命呼び信号を受信してかごを上記所定階に直行運転中であることをかご内および乗場の乗客に伝えるようになっているものとする。
【発明の効果】
【００１６】
請求項１に記載の発明によれば、エレベータが設置された建物内で電気的徐細動が必要な患者が発生した場合に、その場に居合わせた者が救命呼びスイッチを操作することで、その救急呼びスイッチが設置された所定階にエレベータのかごが直行して自動対外式徐細動器を搬送するため、多数の自動対外式徐細動を設置することなく患者の発症から電気的徐細動を施すまでの時間を短縮し、コストの増加を抑えつつも電気的徐細動による救命成功率を高めることができる。
【発明を実施するための最良の形態】
【００１７】
図１は本発明のより具体的な実施の形態としていわゆるアパートやマンション等の集合住宅に付設されたエレベータのかごを示す図であって、図１の（ａ）はかごのうち反出入口側の壁面を示す断面図、図１の（ｂ）は図１の（ａ）におけるＡ−Ａ断面図である。
【００１８】
図１の（ａ），（ｂ）に示すように、かご１はかご床２と側壁パネル３、天井パネル４、幕板５および袖壁６を主要な構成要素としていて、その幕板５の下方に形成されたかご出入口７を二枚のスライドドア８によって開閉するようになっている。側壁パネル３のうちかご出入口７と対向する面の後方にはトランク９が突設されているとともに、そのトランク９の上方に自動対外式徐細動器１０（以下、ＡＥＤと略称する。）を収納するＡＥＤ収納部１１が設けられている。ＡＥＤ収納部１１は略直方体型の箱状をなしていて、そのかご１内側の開口部をスイングドア１２にて常時閉塞している。なお、スイングドア１２はＡＥＤ収納部１１を閉塞している状態で側壁パネル３のうちかご出入口７と対向する面と面一となるように設定されている。
【００１９】
ＡＥＤ収納部１１内には、スイングドア１２の開閉状態を検出するＡＥＤ収納部開閉センサ１３が設けられていて、スイングドア１２が開かれるとＡＥＤ収納部開閉センサ１３が後述する主制御装置にＡＥＤ収納部開信号を出力するようになっている。すなわち、ＡＥＤ収納部開閉センサ１３によってＡＥＤ収納部１１からのＡＥＤ１０の取り出しを間接的に検出するようになっている。なお、ＡＥＤ収納部開閉センサ１３に代えてＡＥＤ収納部１１内におけるＡＥＤ１０の存在を直接的に検出するセンサを設けることも可能である。
【００２０】
さらに、かご１にはそのかご１内を撮像する防犯カメラ１４が設けられているとともに、かご１の袖壁６にはかご１内の乗客に向けて音声を出力するスピーカ１５およびかご１内の乗客に向けて表示を行うかご表示器１６がそれぞれ情報伝達手段として設けられている。
【００２１】
図２は本実施の形態における救命支援装置を示すブロック図である。
【００２２】
図２に示すように防犯カメラ１４は撮像した画像をかご１に設けられた録画装置１９に送信するようになっているとともに、録画装置１９は主制御装置１８に接続されている。そして、主制御装置１８にはスピーカ１５およびＡＥＤ収納部開閉センサ１３がそれぞれ接続されているとともに、通信回線たる電話網２０を通じて遠隔地の監視センタ２１と接続可能な遠隔監視装置１９に主制御装置１８が接続されている。なお、主制御装置１８および遠隔監視装置１９はエレベータの機械室に設けられている。
【００２３】
一方、エレベータがサービスする各階の乗場には情報伝達手段たる乗場表示器２２付きの乗場操作盤２３が設けられていて、その乗場操作盤２３は乗場呼びを登録する乗場呼び登録ボタン２４のほか、救命呼びスイッチたる乗場ＡＥＤボタン２５を備えている。乗場ＡＥＤボタン２５は乗場操作盤２３のフェイスプレート２３ａにヒンジ結合された透明な樹脂製の濫用防止カバー２６にその操作面を覆われており、濫用防止カバー２６を開いた上で乗場ＡＥＤボタン２５を押圧操作することで、その乗場ＡＥＤボタン２５の設置階へかごを呼ぶ救命呼び信号を主制御装置１８に出力するようになっている。
【００２４】
また、集合住宅の各住居内にそれぞれ設けられた各インターホン２７が救命呼びスイッチたる住居内ＡＥＤボタン２８をそれぞれ備えており、住居内ＡＥＤボタン２８を押圧操作することで、その住居内ＡＥＤボタン２８の設置階へかごを呼ぶ救命呼び信号をインターホン制御装置２９を介して主制御装置１８に出力するようになっている。なお、乗場ＡＥＤボタン２５および住居内ＡＥＤボタン２８はいわゆる押しボタンスイッチである。
【００２５】
図３は主制御装置１８の制御内容を示すフローチャートである。
【００２６】
以上のように構成したエレベータの救命支援装置では、集合住宅内で電気的徐細動が必要な患者が発生した場合に、その場に居合わせた一般の救助者が最寄の乗場ＡＥＤボタン２５または住居内ＡＥＤボタン２８を押圧操作する。つまり、各住居内で上記患者が発生した場合には、上記救助者が住居内ＡＥＤボタン２８を押圧操作する一方で、各住居外で上記患者が発生した場合には、上記救助者が乗場ＡＥＤボタン２５を押圧操作した上で、上記救助者が押圧操作した乗場ＡＥＤボタン２５または住居内ＡＥＤボタン２８の設置階におけるエレベータの乗場に行き、かご１の到着を待つことになる。
【００２７】
図３に示すように、主制御装置１８は救命呼び信号の入力を常時監視していて（ステップＳ１）、乗場ＡＥＤボタン２５または住居内ＡＥＤボタン２８が押圧操作されて主制御装置１８が救命呼び信号を受信すると、予め登録されていた乗場呼びおよびかご呼びを取り消した上で（ステップＳ２）、救命呼び信号を発した乗場ＡＥＤボタン２５または住居内ＡＥＤボタン２８の設置階である救命呼び階を行先階として登録する（ステップＳ３）。換言すれば、主制御装置１８が救命呼び信号を受信すると、予め登録された乗場呼びおよびかご呼びよりも優先して救命呼び階にかご１を直行運転することになる。
【００２８】
その上で、主制御装置１８が救急呼び信号を受信したことを遠隔監視装置１９を介して監視センタ２１に通報するとともに（ステップＳ４）、スピーカ１５をもって例えば「救命支援運転中です。しばらくお待ち下さい。」とのアナウンスをかご内の乗客に向けて流し、さらに乗場表示器２２およびかご表示器１６に例えば「救命支援運転中」と表示する（ステップＳ５）。すなわち、集合住宅内で電気的徐細動が必要な患者が発生してかご１を救命呼び階に直行運転中であることをかご１内および各階の乗場の乗客に伝え、患者に対する救命処置を支援するように促すようになっている。なお、このときに患者に対する救命処置の支援を直接的に呼びかけるようにしてもよい。
【００２９】
その上で、防犯カメラ１４にて撮像したかご１内の画像の録画を録画装置１９に開始させる（ステップＳ６）。
【００３０】
次いで、主制御装置１８はかご１が走行中であるかどうかを判断し（ステップＳ７）、かごが走行していない場合、すなわちかご１が停止している場合にはかご１を救命呼び階に向けて走行させる（ステップＳ１０）。一方、かご１が走行中である場合には、その走行方向前方に救命呼び階があるかどうかを判断し（ステップＳ８）、かご１の走行方向前方に救命呼び階があるときには、かご１をそのまま救命呼び階まで走行させる一方で（ステップＳ１０）、走行方向前方に救命呼び階がない場合には、その走行方向前方の最寄階にかごを停止させた上で走行方向を反転させ（ステップＳ９）、かごを救命呼び階に向けて走行させる（ステップＳ１０）。
【００３１】
かごが救命呼び階に到着すると（ステップＳ１１）、かご出入口７を全開し（ステップＳ１２）、スピーカ１５をもって例えば「ドアが開いたらお降り下さい。」とかご内の乗客にアナウンスするとともに、かご表示器１６に例えば「お降り下さい」と表示する（ステップＳ１３）。なお、上記救助者はこの段階でかご１内からＡＥＤ１０を取り出すこととなる。
【００３２】
そして、出入口を全開してから所定時間（例えば６０秒）が経過するか（ステップＳ１４）、あるいはかご内に設けられた戸閉ボタンが押圧され、主制御装置１８が戸閉信号を受信したこと（ステップＳ１５）を条件に出入口を全閉し、通常運転に復帰する（ステップＳ１６）。
【００３３】
図４は主制御装置１８の別の制御内容を示すフローチャートである。
【００３４】
また、主制御装置１８はＡＥＤ収納部開閉センサ１３からのＡＥＤ収納部開信号の入力を常時監視していて（ステップＳ２１）、主制御装置１８がＡＥＤ収納部開信号を入力すると、ＡＥＤ収納部開信号を受信したことを遠隔監視装置１９を介して監視センタ２１に通報するとともに（ステップＳ２２）、スピーカ１５からかご内の乗客に向けてブザー音を出力する（ステップＳ２３）。
【００３５】
以上のように構成したエレベータの救命支援装置によれば、エレベータが設置された集合住宅内で電気的徐細動が必要な患者が発生した場合に、その場に居合わせた者が乗場ＡＥＤボタン２５または住居内ＡＥＤボタン２８を押圧操作すると、その乗場ＡＥＤボタン２５または住居内ＡＥＤボタン２８の設置階にエレベータのかご１が直行することでＡＥＤ１０を患者の近くに搬送するため、ＡＥＤ１０を多数設置することなく患者の発症から電気的徐細動を施すまでの時間を短縮し、コストの増加を抑えつつも電気的徐細動による救命成功率を高めることができる。
【００３６】
また、主制御装置１８が救命呼び信号を受信した際に、電話網２０を通じて監視センタ２１と接続し、その監視センタ２１に通報を行うようになっているため、集合住宅内で電気的徐細動が必要な患者が発生したことを監視センタ２１で把握し、監視センタ２１の監視員が必要な措置を講ずることができる。
【００３７】
その上、電気的徐細動が必要な患者が発生したことをかご１内および各乗場の乗客に伝えることで、その救命処置を支援するように促すことができるほか、エレベータが救命呼び階に直行運転中であることを乗客に伝えることで、乗場呼びおよびかご呼びが取り消されたことによって乗客が困惑することを防止できる。
【００３８】
さらに、主制御装置１８が救命呼び信号を受信した際に、防犯カメラ１４にて撮像したかご１内の画像を録画装置１９に録画させるようになっている上に、主制御装置１８がＡＥＤ収納部開信号を受信した際に、監視センタ２１に通報を行うとともに、スピーカ１５からブザー音を出力するようになっているため、ＡＥＤ１０へのいたずらを防止することができるメリットがある。
【００３９】
なお、群管理された一群のエレベータに本実施の形態における救命支援装置を適用する場合には、その一群のエレベータのうちいずれかのエレベータのかごにＡＥＤを設置し、そのエレベータの主制御装置１８が救命呼び信号を受信したときに、そのエレベータを群管理運転から切り離すようにするとよい。また、その一群のエレベータのうち各エレベータのかごにそれぞれＡＥＤを設置し、乗場ＡＥＤボタン２５または住居内ＡＥＤボタン２８が救命呼び信号を発したときに、救命呼び階に最も近いかごをその救命呼び階に直行させるようにすることも可能である。
【図面の簡単な説明】
【００４０】
【図１】本発明の実施の形態を示す図であって、同図（ａ）はかごのうち反出入口側の壁面を示す断面図、同図（ｂ）は同図（ａ）のＡ−Ａ断面図。
【図２】救命支援装置を示すブロック図。
【図３】主制御装置の制御内容を示すフローチャート。
【図４】主制御装置の別の制御内容を示すフローチャート。
【符号の説明】
【００４１】
１…かご
１０…自動対外式徐細動器
１５…スピーカ（情報伝達手段）
１６…かご表示器（情報伝達手段）
１８…主制御装置
２０…電話網（通信回線）
２１…監視センタ
２２…乗場表示器（情報伝達手段）
２５…乗場ＡＥＤボタン（救命呼びスイッチ）
２８…住居内ＡＥＤボタン（救命呼びスイッチ）
【図１】
2008265898.tif 000003
【図２】
2008265898.tif 000004
【図３】
2008265898.tif 000005
【図４】
2008265898.tif 000006